【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
創傷被覆材であって、
親水性吸収材料と、
創傷部位と接触する開口エリアを画定し、その親水性吸収材料を少なくとも部分的に取り囲む親水性吸収材料エンベロープと、
酸素拡散コーティングと導管の長さに沿って酸素または酸素化流体が拡散できるルーメンを有する少なくとも１つの導管とを含み、
前記導管の少なくとも一つのエリアが、前記創傷表部位と親水性吸収材料が流体連通するように前記創傷部位と接触し流体吸収材に隣接した開口エリアに沿って露出して延びるように配置され、少なくとも一つの導管は、さらに周囲の空気に露出される少なくとも一部分を有する創傷被覆材。
【請求項２】
前記親水性吸収材料エンベロープが水蒸気の透過を妨げる請求項１に記載の創傷被覆材。
【請求項３】
前記少なくとも１つの導管を通して配置された少なくとも１つのマルチフィラメント繊維を含む請求項１に記載の創傷被覆材。
【請求項４】
前記少なくとも１つの導管が組み入れられた少なくとも１つの親水性エレメントを含む請求項１に記載の創傷被覆材。
【請求項５】
前記親水性吸収材料が前記親水性吸収材料エンベロープから取り外し可能、及び／または交換可能である請求項１に記載の創傷被覆材。
【請求項６】
前記少なくとも１つの導管が４０乃至２０００ミクロンの範囲の直径を含む請求項１に記載の創傷被覆材。
【請求項７】
前記少なくとも１つの導管が８０乃至２６０ミクロンの範囲の直径を含む請求項１に記載の創傷被覆材。
【請求項８】
前記酸素拡散コーティングが約５０乃至３００ミクロンの厚さを有する請求項１に記載の創傷被覆材。
【請求項９】
前記酸素拡散コーティングがシリコーンで構成されている請求項１に記載の創傷被覆材。
【請求項１０】
前記酸素拡散コーティングが、表面張力効果により水性流体の浸透を排除する大きさに形成された１つ以上の微小穿孔を画定する請求項１に記載の創傷被覆材。
【請求項１１】
前記酸素拡散コーティングが親水性であるように改良された外表面を有する請求項１に記載の創傷被覆材。
【請求項１２】
前記親水性吸収材料エンベロープが酸素透過性材料を含む請求項１に記載の創傷被覆材。
【請求項１３】
前記親水性吸収材料と流体連通する前記親水性吸収材料エンベロープ上にアクセスポートを含む請求項１に記載の創傷被覆材。
【請求項１４】
前記創傷被覆材から滲出液を除去するために前記アクセスポートと流体的に連結された真空装置を含む請求項１３に記載の創傷被覆材。
【請求項１５】
前記アクセスポートが前記親水性吸収材料から水の蒸発が可能なように可逆的に開くことができる請求項１３に記載の創傷被覆材。
【請求項１６】
前記創傷被覆材の周縁部の周りに形成された接着剤周縁部を含む請求項１に記載の創傷被覆材。
【請求項１７】
前記親水性吸収材料に注入された薬剤、薬物または作用物質を含む請求項１に記載の創傷被覆材。
【請求項１８】
それぞれが酸素拡散カバーを有する複数の追加導管を含む請求項１に記載の創傷被覆材。
【請求項１９】
前記複数の追加導管が互いに対して横方向に形成される請求項１８に記載の創傷被覆材。
【請求項２０】
前記導管の長さに対し横方向に形成された１つ以上の酸素透過性接着剤ストライプを含む請求項１８に記載の創傷被覆材。
【請求項２１】
前記創傷部位と接触するために開口エリア上の穿孔膜または半透膜を含む請求項１に記載の創傷被覆材。
【請求項２２】
前記穿孔膜または半透膜を通して形成され、前記創傷部位及び前記親水性吸収材料を流体に連結するように配置された１つ以上のチャネルを含む請求項２１に記載の創傷被覆材。
【請求項２３】
前記穿孔膜または半透膜が、前記少なくとも１つの導管を形成するために１つ以上の隆起部またはノッチを画定する請求項２１に記載の創傷被覆材。
【請求項２４】
前記少なくとも１つの導管と流体連通するポンプを含む請求項１に記載の創傷被覆材。
【請求項２５】
血小板ゲル、血漿濃縮物、白血球、幹細胞、皮膚移植片、および成長因子からなる一群から選ばれた創傷部位に適用される治療を含む請求項１に記載の創傷被覆材。
【請求項２６】
創傷被覆材であって、
親水性吸収材料と、
酸素拡散コーティングおよび導管の長さに沿って酸素または酸素化流体が拡散できるルーメンを有する導管を含み、
導管の少なくとも一つのエリアは、創傷面と親水性吸収材料が流体連通するように創傷面と接触し親水性吸収材料に接して延びるように配置され、少なくとも１つの導管が周囲の空気に露出された少なくとも１つの部分を有する創傷被覆材。
【請求項２７】
前記創傷面に接触する開口エリアを画定し、少なくとも部分的に前記親水性吸収材料を取り囲む親水性吸収材料エンベロープを含み、前記導管の少なくとも一つのエリアが、前記創傷面と接触するために前記開口エリアに沿って露出している請求項２６に記載の創傷被覆材。
【請求項２８】
前記親水性吸収材料エンベロープが水蒸気の透過を妨げる請求項２７に記載の創傷被覆材。
【請求項２９】
前記少なくとも１つの導管を通して配置された少なくとも１つのマルチフィラメント繊維をさらに含む請求項２６に記載の創傷被覆材。
【請求項３０】
前記少なくとも１つの導管が組み入れられた少なくとも一つの親水性エレメント含む請求項２６に記載の創傷被覆材。
【請求項３１】
前記親水性吸収材料が、前記親水性吸収材料エンベロープから取り外し可能及び／または交換可能である請求項２６に記載の創傷被覆材。
【請求項３２】
前記少なくとも１つの導管が４０乃至２０００ミクロンの範囲の直径を含む請求項２６に記載の創傷被覆材。
【請求項３３】
前記少なくとも１つの導管が８０乃至２６０ミクロンの範囲の直径を含む請求項３２に記載の創傷被覆材。
【請求項３４】
前記酸素拡散コーティングが約５０乃至３００ミクロンの厚さを有する請求項２６に記載の創傷被覆材。
【請求項３５】
前記酸素拡散コーティングがシリコーンで構成される請求項２６に記載の創傷被覆材。
【請求項３６】
前記酸素拡散コーティングが、表面張力効果により水性流体の透過を排除する大きさに形成された１つ以上の微小穿孔を画定する請求項２６に記載の創傷被覆材。
【請求項３７】
前記酸素拡散コーティングが、親水性であるように修飾された外面を有する請求項２６に記載の創傷被覆材。
【請求項３８】
前記親水性吸収材料エンベロープが酸素透過性材料を含む請求項２７に記載の創傷被覆材。
【請求項３９】
前記親水性吸収材料と流体連通する前記親水性吸収材料エンベロープ上にアクセスポートを含む請求項２７に記載の創傷被覆材。
【請求項４０】
滲出液を前記創傷被覆材から除去するために前記アクセスポートと流体的に連結した真空装置をさらに含む請求項３９に記載の創傷被覆材。
【請求項４１】
前記アクセスポートが前記親水性吸収材料から水の蒸発が可能なように可逆的に開くことができる請求項３９に記載の創傷被覆材。
【請求項４２】
前記創傷被覆材の周縁部の周りに形成された接着剤周縁部を含む請求項２６に記載の創傷被覆材。
【請求項４３】
前記親水性吸収材料に注入された薬剤、薬物または作用物質を含む請求項２６に記載の創傷被覆材。
【請求項４４】
それぞれが酸素拡散カバーを有する複数の追加導管を含む請求項２６に記載の創傷被覆材。
【請求項４５】
前記複数の追加導管が互いに対して横方向に形成される請求項４４に記載の創傷被覆材。
【請求項４６】
前記導管の長さに対して横方向に形成された一つ以上の酸素透過性の接着剤ストライプを含む請求項４４に記載の創傷被覆材。
【請求項４７】
前記創傷面と接触するために開口エリアの上に穿孔膜または半透膜を含む請求項２７に記載創傷被覆材。
【請求項４８】
前記穿孔膜または半透膜を通って形成され、前記創傷面及び前記親水性吸収材料が流体的に連結するように配置された１つ以上のチャネルを含む請求項４７に記載の創傷被覆材。
【請求項４９】
前記穿孔膜または半透膜が、前記少なくとも１つの導管を形成するために１つ以上の隆起部またはノッチを画定する請求項４７に記載の創傷被覆材。
【請求項５０】
前記少なくとも１つの導管と流体連通するポンプを含む請求項２６に記載の創傷被覆材。
【請求項５１】
前記創傷面に用いるのに適した作用物質を含み、前記作用物質が、血小板ゲル、血漿濃縮物、白血球、幹細胞、皮膚移植片、および成長因子からなる一群から選択される、請求項２６に記載の創傷被覆材。
【請求項５２】
創傷被覆材であって、
親水性吸収材料と、
前記創傷被覆材を通るか隣接して延びる少なくとも１つの酸素伝導性の疎水性導管と、
創傷部位と接触するために開口エリアを画定し、少なくとも部分的に親水性吸収材料を取り囲む親水性吸収材料エンベロープを含み、
少なくとも一つの酸素伝導性の疎水性導管の少なくとも一部が、前記創傷部位と前記親水性吸収材料とが流体連通するように創傷部位と接触し、前記親水性吸収材料に隣接した開口エリアに沿って露出して延びるように配置され、前記少なくとも１つの酸素伝導性導管の少なくとも一つのエリアが、周囲の空気と接触し、酸素を透過させる、創傷被覆材。
【請求項５３】
前記少なくとも１つの酸素伝導性の疎水性導管を通して配置された少なくとも１つのマルチフィラメント繊維を含む請求項５２に記載の創傷被覆材。
【請求項５４】
前記少なくとも一つの酸素伝導性の疎水性導管が組み入れられた少なくとも一つの親水性エレメントを含む請求項５２に記載の創傷被覆材。
【請求項５５】
前記親水性吸収材料が前記親水性吸収材料エンベロープから取り外し可能及び／または交換可能である請求項５２に記載の創傷被覆材。
【請求項５６】
前記少なくとも１つの酸素伝導性の疎水性導管が４０乃至２０００ミクロンの範囲の直径を含む請求項５２に記載の創傷被覆材。
【請求項５７】
前記少なくとも１つの酸素伝導性の疎水性導管が８０乃至２００ミクロンの範囲の直径を含む請求項５６に記載の創傷被覆材。
【請求項５８】
前記酸素伝導性の疎水性導管が約５０〜３００ミクロンの厚さを有する請求項５２に記載の創傷被覆材。
【請求項５９】
前記酸素伝導性の疎水性導管がシリコーンで構成される請求項５２に記載の創傷被覆材。
【請求項６０】
前記酸素伝導性の疎水性導管が、表面張力の影響により水性流体の透過を排除する大きさに形成された１つ以上の微小穿孔を画定する請求項５２に記載の創傷被覆材。
【請求項６１】
前記酸素伝導性の疎水性導管が酸素拡散コーティングを有しており、酸素拡散コーティングは親水性であるように修飾された外面を有していることを特徴とする請求項５２に記載の創傷被覆材。
【請求項６２】
前記親水性吸収材料エンベロープが酸素透過性材料を含む請求項５２に記載の創傷被覆材。
【請求項６３】
前記親水性吸収材と流体連通する前記親水性吸収材料エンベロープの上のアクセスポートを含む請求項５２に記載の創傷被覆材。
【請求項６４】
滲出液を前記創傷被覆材から除去するためにアクセスポートに流体的に連結された真空装置を含む請求項６３に記載の創傷被覆材。
【請求項６５】
創傷被覆材の周縁部の周りに形成された接着剤周縁部を含む請求項５２に記載の創傷被覆材。
【請求項６６】
親水性吸収材料に注入された薬剤、薬物または試薬を含む請求項５２に記載の創傷被覆材。
【請求項６７】
それぞれが酸素拡散カバーを有する複数の追加導管を含む請求項５２に記載の創傷被覆材。
【請求項６８】
複数の追加導管が互いに対して横方向に形成された請求項６７に記載の創傷被覆材。
【請求項６９】
導管の長さに対して横方向に形成された一つ以上の酸素透過性の接着剤ストライプを含む請求項６７に記載の創傷被覆材。
【請求項７０】
創傷部位と接触するために開口エリア上に穿孔膜または半透膜を含む請求項５２に記載の創傷被覆材。
【請求項７１】
前記穿孔膜または前記半透膜を通して形成され、創傷部位と親水性吸収材料とを流体的に連結するように配置された１つ以上のチャネルを含む請求項７０に記載の創傷被覆材。
【請求項７２】
前記穿孔膜または前記半透膜が、少なくとも１つの導管を形成するために１つ以上の隆起部またはノッチを画定する請求項７０に記載の創傷被覆材。
【請求項７３】
少なくとも１つの導管と流体連通するポンプを含む請求項５２に記載の創傷被覆材。
【請求項７４】
前記創傷部位に用いるのに適した作用物質を含み、前記作用物質が、血小板ゲル、血漿濃縮物、白血球、幹細胞、皮膚移植片、および成長因子からなる一群から選択される、請求項５２に記載の創傷被覆材。
【請求項７５】
少なくとも１つの導管であって、酸素拡散コーティングおよびその長さに沿って酸素または酸素化流体が拡散できるルーメンを有し、創傷面と接触する創傷接触領域および前記創傷面を越えて延びるように形成されており、大気に露出している酸素吸収領域を画定する、少なくとも１つの導管と、
前記創傷被覆材の周縁部の周りに形成された接着剤周縁部とを含む、創傷被覆材。
【請求項７６】
前記創傷面と流体連通する親水性吸収材料と、創傷部位と接触するための開口エリアを画定し、少なくとも部分的に親水性吸収材料を取り囲む親水性吸収材料エンベロープとを含む請求項７５に記載の創傷被覆材。
【請求項７７】
親水性吸収材料エンベロープが水蒸気の透過を妨げる請求項７６に記載の創傷被覆材。
【請求項７８】
親水性吸収材料が、親水性吸収材料エンベロープから取り外し可能及び／または交換可能である請求項７６に記載の創傷被覆材。
【請求項７９】
酸素拡散コーティングがシリコーンで構成されている請求項７５に記載の創傷被覆材。
【請求項８０】
前記少なくとも１つの前記接着剤周縁部を通って延びている請求項７５に記載の創傷被覆材。
【請求項８１】
創傷を処置する方法であって、
親水性吸収材料と、創傷部位に接触するための開口エリアを画定し、少なくとも部分的に前記親水性吸収材料を取り囲む親水性吸収材料エンベロープと、酸素拡散コーティングを有する少なくとも１つの導管とを有する創傷被覆材を提供すること、
前記少なくとも１つの導管が創傷部位と接触し、前記創傷部位と親水性吸収材料とを流体連通するように、前記創傷部位の上に開口エリアを配置すること、
前記少なくとも１つの導管から酸素拡散コーティングを通して前記創傷部位へと酸素を拡散させる方法。
【請求項８２】
少なくとも１つの導管を、前記開口エリアに沿って、前記親水性吸収材料に隣接して、露出して延びるように配置した請求項８１に記載の方法。
【請求項８３】
滲出液を創傷部位から親水性吸水材料に吸い取る請求項８１に記載の方法。
【請求項８４】
前記創傷部位上に開口エリアを配置することは、親水性吸収材料と創傷部位との分離を維持することを含む請求項８１に記載の方法。
【請求項８５】
少なくとも１つの導管が、少なくとも１つの導管を通って配置された少なくとも１つのコーティングマルチフィラメント繊維を含む請求項８１に記載の方法。
【請求項８６】
創傷被覆材を提供する前に、酸素拡散コーティングを行うよりも先に解放フィラメント内のスペースを一時的に遮断するために、流体がマルチフィラメント繊維を浸透する請求項８５に記載の方法。。
【請求項８７】
創傷被覆材は、少なくとも１つの導管が組み入れられた少なくとも一つの親水性エレメントを含む請求項８１に記載の方法。
【請求項８８】
酸素拡散コーティングがシリコーンで構成された請求項８１に記載の方法。
【請求項８９】
親水性吸収性材料と流体連通している親水性吸収材料エンベロープの上のアクセスポートを介して過剰な滲出液を創傷部位から除去する請求項８１に記載の方法。
【請求項９０】
過剰な滲出液の除去が創傷部位からの滲出液の吸引を含む請求項８９に記載の方法。
【請求項９１】
開口エリアを創傷部位上に配置することが、接着剤周縁部によって創傷被覆材を創傷部位の周囲に接着させること含む請求項８１に記載の方法。
【請求項９２】
前記親水性吸収材料に薬剤、薬物又は試薬を注入することを含む請求項８１に記載の方法。
【請求項９３】
前記親水性吸収材料エンベロープにより、前記親水性吸収材料からの蒸発を抑制することを含む請求項８１に記載の方法。
【請求項９４】
酸素の豊富な流体を、ポンプまたは加圧リザバーによって少なくとも１つの導管を通して圧送することを含む酸素運搬システムを含む請求項８１に記載の方法。
【請求項９５】
血小板ゲル、血漿濃縮物、白血球、幹細胞、皮膚移植片、および増殖因子からなる一群から選択し、前記創傷部位に処置を施すことを含む請求項８１に記載の方法。
【請求項９６】
前記処置を、創傷部位上に前記開口エリアを配置する前、配置している間、または配置した後に行う、請求項９５に記載の方法。
【請求項９７】
前記親水性吸収材料エンベロープから親水性吸収材料を除去することを含む請求項８１に記載の方法。
【請求項９８】
開口エリアを創傷部位上に保ちながら、前記親水性吸収材料を前記親水性吸収材料エンベロープから除去することを含む請求項９７に記載の方法。